(57)【特許請求の範囲】
【請求項１】
情報を表示する表示部と、
前記表示部表面に設けられるタッチパネルを有し、前記タッチパネル面へ近接または接触する検出物の位置情報とセンサー強度とを検出する検出部と、
前記表示部と前記検出部を制御する制御部と、
を備え、
前記検出部の検出したセンサー強度が第１のしきい値以上となり、前記検出物の前記タッチパネル面への近接が検出されると、前記制御部は、前記センサー強度が第１のしきい値以上である領域を基に基準点を決定し、前記表示部は前記基準点を中心に拡大表示を開始し、
前記拡大表示中に、前記検出部の検出したセンサー強度が第２のしきい値以上となり、前記検出物の前記タッチパネル面への接触が検出されると、前記制御部は、前記センサー強度が第２のしきい値以上である領域を全て含む領域の面積を用いて拡大率を算出し、前記表示部は、前記基準点を中心に、前記拡大率で情報を拡大表示する
ことを特徴とする情報表示装置。
【請求項２】
前記拡大表示中に、前記検出部の検出したセンサー強度が第１のしきい値以上である領域がなくなると、前記制御部は前記表示部に対して縮小表示を指示する
ことを特徴とする請求項１記載の情報表示装置。
【請求項３】
前記制御部は、前記表示部に表示された前記情報がアイコンの場合、前記基準点に最も近いアイコンを抽出し、
前記表示部は、当該アイコンを中心に拡大表示を行う
ことを特徴とする請求項１または請求項２に記載の情報表示装置。
【請求項４】
前記制御部は、前記センサー強度が第２のしきい値以上である領域を全て含む領域の面積と、前記抽出されたアイコンの面積とに基づいて前記拡大率を算出し、
前記表示部は、前記拡大率を用いて前記センサー強度が第２のしきい値以上である領域を全て含む領域の面積に基づいた大きさに前記アイコンを拡大表示する
ことを特徴とする請求項３に記載の情報表示装置。
【請求項５】
情報を表示する表示部と、前記表示部表面に設けられるタッチパネルを有し、前記タッチパネル面へ近接または接触する検出物の位置情報とセンサー強度とを検出する検出部と、前記表示部と前記検出部を制御する制御部とを備える情報表示装置の情報表示方法であって、
前記検出部の検出したセンサー強度が第１のしきい値以上となり、前記検出物の前記タッチパネル面への近接が検出されると、前記制御部は、前記センサー強度が第１のしきい値以上である領域を基に基準点を決定し、前記表示部は前記基準点を中心に拡大表示を開始するステップと、
前記拡大表示中に、前記検出部の検出したセンサー強度が第２のしきい値以上となり、前記検出物の前記タッチパネル面への接触が検出されると、前記制御部は、前記センサー強度が第２のしきい値以上である領域を全て含む領域の面積を用いて拡大率を算出し、前記表示部は、前記基準点を中心に、前記拡大率で情報を拡大表示するステップと、
を備えることを特徴とする情報表示方法。
【発明の詳細な説明】
【技術分野】
【０００１】
本発明は、タッチパネル付の情報表示装置における表示操作技術に関する。
【背景技術】
【０００２】
近年、タッチ操作によって入力を受け付ける装置が多く存在する。このような装置は、
表示部にアイコンや操作メニュー画面等を表示させ、表示部に設けられたタッチパネルが
操作者のタッチの位置等を認識することによって、さまざまなプログラムを実行し、さま
ざまな情報を表示する（特許文献１参照）。特に、最近では指２本でタッチパネル面にタ
ッチして操作するマルチタッチを利用し、表示処理の操作方法が広がりつつある。
【先行技術文献】
【特許文献】
【０００３】
【特許文献１】特開２００９−１１６８５０号公報
【発明の概要】
【発明が解決しようとする課題】
【０００４】
しかしながら、小型で高精細な表示装置とともに用いられるタッチパネルでは、例えば
、入力ボタンを示すアイコン等が小さく表示されるため、アイコンをタッチして選択する
ことが難しい、或いは、手で表示画面を覆ってしまい表示画面を確認しづらい、といった
問題があり、誤入力が起こる場合がある。また、マルチタッチを用いた拡大表示操作も可
能だが、やはり手で表示画面を覆ってしまい、画面が確認しづらいという問題がある。ま
た、マルチタッチでは、複数の指を使えない場合は、拡大表示処理等を行うことが困難と
なる。
【０００５】
本発明は、以上の点に鑑みてなされたものであり、指以外でも操作可能であり、操作性
に優れたタッチパネル付の情報表示装置および情報表示方法を提供することを目的とする
。
【課題を解決するための手段】
【０００６】
上述した課題を解決するために、本発明は、情報を表示する表示部と、前記表示部表面
に設けられるタッチパネルを有し、前記タッチパネル面へ近接または接触する検出物の位
置情報とセンサー強度とを検出する検出部と、前記表示部と前記検出部を制御する制御部
と、を備え、前記検出部の検出したセンサー強度が第１のしきい値以上となり、前記検出
物の前記タッチパネル面への近接が検出されると、前記制御部は、前記位置情報と前記セ
ンサー強度を元に基準点を決定し、前記表示部は前記基準点を中心に拡大表示を開始し、
前記拡大表示中に、前記検出部の検出したセンサー強度が第２のしきい値以上となり、前
記検出物の前記タッチパネル面への接触が検出されると、前記制御部は、前記タッチパネ
ル面への前記検出物の接触面積を用いて拡大率を算出し、前記表示部は、前記基準点を中
心に、前記拡大率で情報を拡大表示することを特徴とする情報表示装置である。
【０００７】
本発明において、第１のしきい値は、タッチパネルに対する検出物の近接を検出するセ
ンサー強度の値であり、第２のしきい値は、タッチパネルに対する検出物の接触を検出す
るセンサー強度の値である。
また、本発明は、上記に記載の発明において、前記拡大表示中に、前記検出部の検出し
たセンサー強度が前記第１のしきい値より小さくなると、前記制御部は前記表示部に対し
て縮小表示を指示することを特徴とする。
また、本発明は、上記に記載の発明において、前記情報がアイコンの場合、前記制御部
は、前記基準点に最も近いアイコンを抽出し、前記表示部は、当該アイコンを中心に拡大
表示を行うことを特徴とする。
また、本発明は、上記に記載の発明において、前記検出部が前記タッチパネル面への複
数の検出物の近接を検出すると、前記制御部は、前記複数の検出物の前記位置情報を用い
て前記基準点を求めることを特徴とする。
【０００８】
また、本発明は、情報を表示する表示部と、前記表示部表面に設けられるタッチパネル
を有し、前記タッチパネル面へ近接または接触する検出物の位置情報とセンサー強度とを
検出する検出部と、前記表示部と前記検出部を制御する制御部とを備える情報表示装置の
情報表示方法であって、前記検出部の検出したセンサー強度が第１のしきい値以上となり
、前記検出物の前記タッチパネル面への近接が検出されると、前記制御部は、前記位置情
報と前記センサー強度を元に基準点を決定し、前記表示部は前記基準点を中心に拡大表示
を開始するステップと、前記拡大表示中に、前記検出部の検出したセンサー強度が第２の
しきい値以上となり、前記検出物の前記タッチパネル面への接触が検出されると、前記制
御部は、前記タッチパネル面への前記検出物の接触面積を用いて拡大率を算出し、前記表
示部は、前記基準点を中心に、前記拡大率で情報を拡大表示するステップと、を備えるこ
とを特徴とする情報表示方法である。
【０００９】
本発明によれば、例えば、指１本（指が検出物に相当する）で拡大表示の操作を行うこ
とができ、操作性が良くなる。
また、例えば、検出物は手の甲や拳でもよく、荷物を持った状態など指を使えない状況
においても拡大表示の操作が可能となる。
また、検出物の接触面積に合わせて拡大率を決定するため、検出物に適した拡大表示が
実行され、アイコンの選択など誤入力の可能性を低減できる。
【図面の簡単な説明】
【００１０】
【図１】本発明の実施形態に係る情報表示装置の概略ブロック構成図である。
【図２】同実施形態に係る情報表示装置の表示処理の流れを示すフローチャートである。
【図３】同実施形態に係る情報表示装置のタッチパネル表面に対する指の位置の一例を示す図である。
【図４】同実施形態に係る情報表示装置の表示画面と指の位置関係の一例を示す図である。
【図５】同実施形態に係る情報表示装置の指を用いた拡大表示操作を説明するための図である。
【図６】同実施形態に係る情報表示装置の表示画面と拳の位置関係の一例を示す図である。
【図７】同実施形態に係る情報表示装置の拳を用いた拡大表示操作を説明するための図である。
【図８】同実施形態に係る情報表示装置のマルチタッチにおける拡大表示処理を説明するための図である。
【発明を実施するための形態】
【００１１】
以下に、添付図面を参照しながら、本発明の好適な実施形態について詳細に説明する。
本実施形態では、情報表示装置として小型で高精細な表示が可能な携帯型タッチパネル
付情報表示装置を例に説明する。
図１は、情報表示装置１の概略構成図である。情報表示装置１は、制御部１１、表示部
１３、検出部１４、記憶部１５を備える。
制御部１１は、ＣＰＵ（ＣＰＵ：Central Processing Unit）等であり、情報表示装置
１の各部を制御するとともに、後述する表示処理を実行する。
【００１２】
記憶部１５は、ＲＯＭ（ＲＯＭ：Read Only Memory）、ＲＡＭ（ＲＡＭ：Random Acces
s Memory）といったメモリであり、コンテンツ２１、プログラム２３等を記憶する。コン
テンツ２１は、表示部１２に表示する情報である。プログラム２３は、オペレーションシ
ステム、コンテンツ２１の表示処理プログラム、情報表示装置１のための各種アプリケー
ションプログラム等である。制御部１１はプログラム２３を読み出して実行する。
【００１３】
表示部１２は、コンテンツ２１等を表現する文字や画像等を表示する液晶ディスプレイ
等である。検出部１３は、表示部１２の文字や画像等を認識する透明度を有し、表示部１
２の表示画面全体にわたって設けられた静電容量方式等のタッチパネルを備える。検出部
１３は、タッチパネルに接触または近接した検出物の位置座標、センサー強度（静電容量
）等を検出する。検出された位置座標やセンサー強度を用いて検出物の検出領域の面積や
形状等を求めることができる。ここで、「近接」とはタッチパネルで検出物が感知できる
距離範囲内に検出物が入ることをいい、タッチパネルに近接した検出物の座標情報（位置
、領域）を近接位置情報とする。
ここで、情報表示装置１にネットワーク等に接続する通信部（アンテナ、通信回路等）
を設け、有線無線を問わずにネットワークに接続し、コンテンツデータを送受信し、表示
することも可能である。
【００１４】
次に、情報表示装置１の動作について説明する。
図２は、情報表示装置１の表示処理の手順を示すフローチャートである。
図１に示す検出部１３は、検出物のタッチパネルにおけるセンサー強度が近接しきい値
以上であるかどうかを判定し、検出物の近接を検出する（ステップＳ１０１）。ここで、
近接しきい値とは検出部１３のタッチパネルが検出物の近接を検出できるセンサー強度で
あり、予め決められた値である。タッチパネルのセンサー強度が近接しきい値より小さく
、検出物の近接が検出されない場合（ステップＳ１０１で「Ｎｏ」）、検出部１３は検出
物の近接を検出し続ける。
【００１５】
タッチパネルのセンサー強度が近接しきい値以上となり、検出物の近接が検出された場
合（ステップＳ１０１で「Ｙｅｓ」）、制御部１１は、検出部１３によって検出された近
接情報とセンサー強度から拡大表示の中心座標を算出し（ステップＳ１０２）、表示部１
２に対して拡大表示を指示し、表示部１２は拡大表示を行う（ステップＳ１０３）。
【００１６】
検出部１３は、タッチパネルのセンサー強度が近接しきい値より小さくなったかどうか
を判定することで検出物が離れたかどうかを検出し（ステップＳ１０４）、検出物が離れ
たと判定されると（ステップＳ１０４で「Ｙｅｓ」）、制御部１１は、表示部１２に対し
て縮小表示を指示し、表示部１２は縮小表示を行い（ステップＳ１０５）、ステップＳ１
０１に戻る。
【００１７】
検出物が近接状態にあることが判定されると（ステップＳ１０４で「Ｎｏ」）、検出部
１３は、タッチパネルのセンサー強度が接触しきい値以上かどうかを判定することで、検
出物がタッチパネルへ接触したかどうかを判定する（ステップＳ１０６）。ここで、接触
しきい値とは、検出物が検出部１３のタッチパネルに接触したかどうかを判定する基準値
であり、接触しきい値は近接しきい値より大きい。
タッチパネルのセンサー強度が接触しきい値以上となった場合、制御部１１は、検出物
のタッチパネルへの接触面積から表示の拡大率を決定し（ステップＳ１０７）、表示部１
２にその拡大率に基づいて表示を行うことを指示する（ステップＳ１０８）。
【００１８】
以下に、図２に示す処理を具体的な例を用いて説明する。なお、以下の説明では、情報
処理装置１の表示部１２の表示画面を覆うようにタッチパネルが設けられているとする。
図３は、検出物が指である場合、即ち、タッチパネルを指で指示する場合の指の位置を
示す図である。検出部１３のタッチパネル表面３１に対して、指が近づき、ある距離まで
近づくと、タッチパネルは指を検出、即ち、タッチパネルのセンサー強度が近接しきい値
以上となる。
【００１９】
図４は情報処理装置１の表示画面と指の位置の関係の一例を示す図である。図４に示す
ように、表示部１２の表示画面４１にはメニューアイコン４２が多数表示されている。図
５は指による拡大表示操作を説明するための図である。
検出部１３が、タッチパネル表面３１に対して指が近接したことを検出し、センサー強
度が近接しきい値以上となった際の検出領域が図５の領域Ｓ１（図５の斜線部）である場
合、制御部１１は領域Ｓ１の中心点（重心点）等を基準点Ｐ１とし、基準点を拡大表示の
中心として表示部１２に対して拡大表示を指示する。
【００２０】
図５に示す表示画面５１は、基準点Ｐ１を拡大表示の中心にして拡大表示された表示画
面４１の一部である。なお、表示画面４１、５１に示すようなアイコン表示の場合は、基
準点Ｐ１に最も近いアイコン（図５のアイコン５２）自身、或いはそのアイコンの中心座
標を拡大表示の中心としてもよい。
【００２１】
図３に示すように指がタッチパネル表面３１に対して近接を保つ間、表示部１２は拡大
表示を行う。このとき、図３に示すように指がタッチパネル表面３１から離れ、センサー
強度がしきい値より小さくなると、制御部１１は表示部１２に対して縮小表示を指示する
。例えば、縮小表示として、元の表示画面４１に戻してもよい。
【００２２】
表示部１２が拡大表示を行う間に、図３に示すようにタッチパネル表面３１に対して指
が接触、即ち、タッチパネルのセンサー強度が接触しきい値を超えたことを検出すると、
制御部１１は、その時点での検出物である指の接触面積から拡大率を決定し、その拡大率
を用いて表示部１２に画面表示を指示する。例えば、指先が接触した場合には、その接触
した指先の大きさに合った拡大表示がなされる。表示が決定されると、ユーザは、例えば
、指をタッチパネル表面３１に接触させたままタッチパネル上を移動させることによって
画面スクロール操作等が可能となる。
【００２３】
図６は情報処理装置１の表示画面と拳の位置の関係の一例を示す図である。図６に示す
表示画面６１にはメニューアイコン６２が多数表示されている。図７は拳による拡大表示
操作を説明するための図である。
本実施の形態では、指だけでなく、拳全体、手のひら、手の甲等といった手の一部（理
論上は顔など身体の一部でも可）でも拡大処理の操作が可能である。
【００２４】
検出部１３がタッチパネル表面３１に対して拳が近接したことを検出し、センサー強度
がしきい値以上となった検出領域が図７の領域Ｓ２（図７の斜線部）である場合、制御部
１１は領域Ｓ２の中心点（重心点）等を基準点Ｐ２とし、基準点を拡大表示の中心として
表示部１２に対して拡大表示を指示する。
【００２５】
検出物が拳の場合であっても、同様に、タッチパネル表面３１に拳を接触すれば、制御
部１１は表示部１２に対してその時点での拳の接触面積で拡大率を決定し、拡大表示を指
示する。こうして、例えば、アイコンを指で指示した場合は指の大きさに適するようにア
イコンが拡大表示され、アイコンを拳で指示した場合は拳の大きさに適するようにアイコ
ンが拡大表示される。このように本実施の形態では、検出物の大きさに適した拡大表示を
行うことが可能であり、誤入力、そして入力のご認識の可能性が少なくなる。
【００２６】
また、指で指示する場合と同様に、ユーザは表示された画面に対して拳を使ってスクロール操作が可能である。また、拡大表示中にユーザがタッチパネル表面３１から拳を離せば、検出部１３は、センサー強度が近接しきい値より小さくなったことを検出し、制御部１１は表示部１２に対して縮小表示を指示する。
このように、本実施の形態によれば、指１本でも容易に拡大表示を操作でき、拡大表示で確認するため誤入力も少なくなる。また、指が使えない場合でも拡大表示等の操作が可能である。
【００２７】
図８は、本実施の形態におけるマルチタッチの適用例を示す図である。ユーザがタッチ
パネルに２本の指を接近させ、図８に示すように、検出部１３が、タッチパネル表面８１
の２箇所でセンサー強度がしきい値以上となった領域Ｓ３、Ｓ４（斜線部）を検出した場
合、制御部１１は、領域Ｓ３、Ｓ４を含む領域Ａ１の中心点（重心点）等を拡大表示の中
心として、表示部１２に対して拡大表示を指示する。また、領域Ｓ３の中心点Ｐ３、領域
Ｓ４の中心点Ｐ４を結ぶ線分の中点を拡大表示の中心とすることも可能である。
【００２８】
本実施の形態では、携帯型のタッチパネル付情報表示装置を例に説明したが、券売機や
タッチパネル形式の情報案内装置など、タッチパネルを備えた情報表示装置にも上記の表
示処理操作は適用可能である。
【符号の説明】
【００２９】
１………情報表示装置
１１………制御部
１２………表示部
１３………検出部
１５………記憶部
２１………コンテンツ
２３………プログラム
【図１】
0005492627.tif 000002
【図２】
0005492627.tif 000003
【図３】
0005492627.tif 000004
【図４】
0005492627.tif 000005
【図５】
0005492627.tif 000006
【図６】
0005492627.tif 000007
【図７】
0005492627.tif 000008
【図８】
0005492627.tif 000009